(57)【要約】【課題】止水栓を閉め忘れて水抜き操作しても水が流れ放しとなることを防止する。【解決手段】洋風便器１の鉢部２の上縁のリム３に対しリムノズル４から洗浄水が供給され、トラップ部にはジェットノズル５からジェット水が噴出される。水抜き用スイッチ５０ｍを押すと、弁２２，２３が所定時間開弁すると共に、水抜き用電磁弁３０，４１が所定時間開弁する。止水栓１０が閉まっているときには、これにより電動弁ユニット２０、ストレーナ１２Ａ、配管１３，２４，２５、温水タンク４０等の水抜きが行われる。止水栓１０を閉め忘れていても、所定時間が経過すると、弁２２，２３及び電磁弁３０，４１が自動的に閉弁するので、止水栓１０からの水道水が流れ放しになることがない。【選択図】　図１
2004068321.tif 000002
【特許請求の範囲】
【請求項１】
止水栓からの給水を便器へ供給する洗浄給水装置において、
スイッチ操作により所定時間だけ開弁する水抜き弁を備えたことを特徴とする洗浄給水装置。
【請求項２】
請求項１において、該洗浄給水装置は、電気駆動式の弁ユニットを介して水道給水圧により便器へ給水するものであることを特徴とする洗浄給水装置。
【請求項３】
止水栓からの給水を電気駆動式の弁ユニットを介して水道給水圧により便器へ供給する洗浄給水装置において、
該弁ユニットはバキュームブレーカを備えており、
スイッチ操作により該弁ユニットを所定時間だけ開弁させて水抜き動作する弁制御手段を備えたことを特徴とする洗浄給水装置。
【請求項４】
請求項１ないし３のいずれか１項において、前記スイッチはリモコンに設けられていることを特徴とする洗浄給水装置。
【発明の詳細な説明】
【０００１】
【発明の属する技術分野】
本発明は便器に洗浄水を供給するための洗浄給水装置に係り、特に凍結防止等のために機器から水を抜く水抜き機構を備えた洗浄給水装置に関する。詳しくは、本発明は、水道給水圧によって洗浄水を便器に供給するようにした洗浄給水装置に関する。
【０００２】
【従来の技術】
便器に洗浄水を供給する方式としては、ロータンクを用いた洗浄給水装置や、給水圧が高い箇所ではフラッシュレバー弁による洗浄給水装置が用いられている。
【０００３】
本願出願人は、ロータンクを用いることなく洋風便器に洗浄水を供給する洗浄給水装置として、図２（ａ）、（ｂ）に示す構成の装置を開発し、市販している。
【０００４】
図２（ａ）は、この洗浄給水装置を備えた洋風便器の概略的な透視図、図２（ｂ）はこの洗浄給水装置の給水系統図である。
【０００５】
洋風便器１は、前部に鉢部２を備え、この鉢部２の上部内周にリム３が設けられている。このリム３へはリムノズル４を介して洗浄水が供給される。また、鉢部２のトラップ部には、該トラップ部にサイホン排出流を誘起するための水（ジェット水）を噴出するジェットノズル５が設けられている。
【０００６】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０へ供給可能とされると共に、該ストレーナ１２から分岐した配管１３を介して温水洗浄装置の温水タンクへ供給可能とされている。
【０００７】
電動弁ユニット２０は、内部に配置された弁装置２２，２３をモータ２１で駆動し、リムノズル給水配管２４又はジェットノズル給水配管２５へ水を供給する。なお、停電時にも便器を使用できるようにするために、モータ２１の回転軸に手動式の洗浄ハンドル２８が取り付けられている。
【０００８】
なお、この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。用便（大便）後に洋風便器１に洗浄水を供給するときには、まず弁２２が所定時間開弁してリム３へ洗浄水が供給されて鉢面の汚水がトラップ部へ洗い落とされる。次に、弁２３が所定時間開弁し、ジェットノズル２５から水が噴出してトラップ部にサイホンが誘起され、汚水が排水管へ排出される。その後、弁２２が再度所要時間開弁し、トラップ水が貯溜される。
【０００９】
ところで、寒冷地における凍結防止や、メンテナンス時等のために、この電動弁ユニット２０から水を抜くことがある。この水抜きを行うには、まず止水栓１０の止水ハンドル１０ａを回して止水栓１０を閉栓した後、ハンドル２８を回して弁２２，２３を開弁させる。また、ストレーナ１２の下側に容器を配置し、次いで、ストレーナ１２のストレーナ本体取り外し用摘み１２ａを回し、該ストレーナ１２から水を流出させる。図２では図示は省略するが、温水タンクにも目の細かいストレーナが設けられており、このストレーナの摘みを回すことにより、温水タンクからも水抜きが行われる。
【００１０】
【発明が解決しようとする課題】
上記の水抜きを行う場合、止水栓１０を閉栓してからハンドル２８を回したりストレーナ１２の摘み１２ａを回す必要があるが、止水栓１０を閉め忘れると、ノズル４，５やストレーナ１２から水が流れ放しになる。
【００１１】
本発明は、止水栓の閉め忘れがあっても水が流れ放しになることがない洗浄給水装置を提供することを目的とする。
【００１２】
【課題を解決するための手段】
本発明（請求項１）の洗浄給水装置は、止水栓からの給水を便器へ供給する洗浄給水装置において、スイッチ操作により所定時間だけ開弁する水抜き弁を備えたことを特徴とするものである。
【００１３】
かかる本発明の洗浄給水装置にあっては、止水栓を閉栓してから水抜きスイッチを操作することにより、水抜きが行われる。この場合、止水栓を閉め忘れていたときには、水抜き弁が開弁している間は止水栓を通った水が流出するが、所定時間が経過すると水抜き弁が自動的に閉弁するので、それ以上水が流出することはない。
【００１４】
なお、この洗浄給水装置は、電気駆動式の弁ユニットを介して水道給水圧により便器へ給水するものが好ましい。
【００１５】
本発明（請求項３）の洗浄給水装置は、止水栓からの給水を電気駆動式の弁ユニットを介して水道給水圧により便器へ供給する洗浄給水装置において、該弁ユニットはバキュームブレーカを備えており、スイッチ操作により該弁ユニットを所定時間だけ開弁させて水抜き動作する弁制御手段を備えたことを特徴とするものである。
【００１６】
この洗浄給水装置においても、止水栓を閉栓してから弁ユニットを開弁すると、バキュームブレーカから流入する空気と入れ替るようにして弁ユニット内に残っていた水が流出する。この場合、止水栓を閉め忘れていると、弁ユニットが開弁している間は止水栓を通った水が流出するが、所定時間が経過すると弁ユニットが自動的に閉弁するので、それ以上水が流出することはない。
【００１７】
本発明では、スイッチはリモコンに設けられていることが好ましい。
【００１８】
【発明の実施の形態】
以下、図１（ａ）、（ｂ）を参照して実施の形態について説明する。図１（ａ）は実施の形態に係る洗浄給水装置の通水系統図であり、前記図２（ｂ）と同様の部分を構成を示している。図１（ｂ）はこの洗浄給水装置を備えた洋風便器が設置されたトイレルーム内の側面図である。
【００１９】
この実施の形態においても、洋風便器１の鉢部２の上縁のリム３に対しリムノズル４から洗浄水が供給され、トラップ部にはジェットノズル５からジェット水が噴出される。なお、洋風便器１の後部上面には便座ボックス８が設置され、この便座ボックス８に便座６及び便蓋７が起倒方向回動自在に取り付けられている。この便座ボックス８によって覆われるようにして電動弁ユニット２０が設置されている。この電動弁ユニット２０の構成は前記図２と同じである。この電動弁ユニット２０に対しては、止水栓１０から給水ホース１１を介してストレーナ１２Ａに水が供給される。このストレーナ１２Ａの底部には水抜き用電磁弁３０が設けられている。この電磁弁３０の流出側にはチューブ３１が接続されている。
【００２０】
ストレーナ１２Ａからは、前記図２と同じく配管１３が分岐し、水が温水タンク４０へ供給可能とされている。この温水タンク４０の底部には水抜き用電磁弁４１が設けられており、この電磁弁４１の流出側にはチューブ４２が接続されている。図示は省略するが、便座ボックス８内には、この温水タンク４０から汚水が供給される温水洗浄装置のノズルや、温水供給制御弁、あるいは臀部に向って温風を吹き付けて乾燥させる温風ファンなどが設置されると共に、制御回路基板が設置されている。
【００２１】
図１（ｂ）の通り、トイレルームの壁面にはリモコン３０が設けられている。このリモコン５０には、臀部を洗浄するためのシャワースイッチ５０ａ及びビデスイッチ５０ｂ、温風を吹き出すための乾燥スイッチ５０ｃ、洗浄強さを調節する洗浄強さ調節ダイヤル５０ｄ、洗浄及び乾燥を停止させるストップスイッチ５０ｓ、洋風便器１０に約８Ｌの洗浄水を供給するフラッシュスイッチ５０ｅ、約６Ｌの洗浄水を供給する小用フラッシュスイッチ５０ｆ、水抜き用スイッチ５０ｍ、及び液晶等よりなる表示画面５０ｇが設けられている。
【００２２】
便座ボックス８には、このリモコン５０からの赤外線信号光を受光する受光素子が設けられ、この受光素子から得られる受信信号が制御回路に入力される。
【００２３】
シャワースイッチ５０ａを押すと、便座ボックス８内に設けたシャワーノズルが前進し、その先端から温水が噴出され、使用者臀部のシャワー洗浄（肛門洗浄）が行われる。ビデスイッチ５０ｂを押すと、同様に便座ボックス８内に設けられているビデノズルが作動され、その先端から温水が噴出されて人体臀部の温水洗浄（ビデ洗浄）が行われる。なお、洗浄強さ調節ダイヤル５０ｄを回すことにより、洗浄強さ（温水噴出量）が調節される。
【００２４】
乾燥スイッチ５０ｃを押すと、便座ボックス８内の温風ファンが作動され、人体臀部に温風が吹き付けられて乾燥が行われる。
【００２５】
ストップスイッチ５０ｓを押すと、これらシャワーノズル、ビデノズルまたは温風ファンの作動が停止される。
【００２６】
大用のフラッシュスイッチ５０ｅ又は５０ｆを押したときには、まず弁２２が所定時間開弁し、リム給水により鉢面が洗浄され、次いで弁２３が所定時間開弁し、トラップ部にサイホンを発生させて汚物を排出し、その後弁２２が所定時間開弁し、トラップ水が貯留される。大用フラッシュスイッチ５０ｅが操作されたときには、合計で８Ｌ程度の水が供給され、小用のフラッシュスイッチ５０ｆが操作されたときには合計で６Ｌ程度の水が供給される。
【００２７】
水抜き用スイッチ５０ｍが操作されると、水抜き用電磁弁３０，４１が所定時間開弁する。
【００２８】
この実施の形態では、水抜き用ストレーナ５０ｍを１回押すと、画面５０ｇに「止水栓は閉めましたか？水受け用容器をセットしましたか？」と表示がなされ、止水栓１０の閉め忘れや、チューブ３１，４２の下方への容器の配置忘れが抑制される。水抜き用ストレーナ５０ｍをもう１回押すと、弁２２，２３が所定時間開弁すると共に、水抜き用電磁弁３０，４１が所定時間開弁する。止水栓１０が閉まっているときには、これにより電動弁ユニット２０、ストレーナ１２Ａ、配管１３，２４，２５、温水タンク４０等の水抜きが行われる。
【００２９】
止水栓１０を閉め忘れていても、所定時間が経過すると、弁２２，２３及び電磁弁３０，４１が自動的に閉弁するので、止水栓１０からの水道水が流れ放しになることがない。
【００３０】
上記実施の形態では水抜き用電磁弁３０，４１を設けているが、水抜き用電磁弁３０を省略し、ストレーナ１２Ａの代りに図２のストレーナ１２を設けてもよい。この場合、水抜き用スイッチ５０ｍを操作すると、電動弁ユニット２０の弁２２，２３が所定時間開弁する。止水栓１０が閉まっているときには、弁２２，２３が開弁すると、バキュームブレーカ２６，２７を介して配管２４，２５内に大気が流入し、弁２２，２３や配管２４，２５内等の残水が洋風便器１側へ排出されて水抜きが行われる。
【００３１】
この場合も、所定時間が経過すると、電動弁ユニット２０の弁２２，２３が自動的に閉弁する。そのため、止水栓１０を閉め忘れていても、水道水が流れ放しとなることがない。
【００３２】
【発明の効果】
以上の通り、本発明によると、止水栓を閉め忘れて水抜き操作しても水が流れ放しとなることが防止される。
【図面の簡単な説明】
【図１】本発明の実施の形態の説明図である。
【図２】従来例の説明図である。
【符号の説明】
１　洋風便器
２　鉢部
３　リム
４　リムノズル
５　ジェットノズル
６　便座
７　便蓋
８　便座ボックス
１０　止水栓
１１　給水ホース
１２，１２Ａ　ストレーナ
２０　電動弁ユニット
３０，４１　水抜き用電磁弁
４０　温水タンク
５０　リモコン
５０ｍ　水抜き用スイッチ
【図１】
2004068321.tif 000003
【図２】
2004068321.tif 000004